(57)【要約】【課題】  位相差検出方式で焦点制御を行う電子カメラにおいて、撮像画像の一部を切り出して記録画像を生成する場合に、焦点検出領域を切り出し範囲内に適切に配置する具体的構成を示す。【解決手段】  電子カメラは、撮影光学系の予定結像面と共役な位置に配置され、画素領域に対する複数の焦点検出領域を設定可能な焦点検出用光電変換素子と、焦点検出手段と、記録領域の大きさに応じて焦点検出領域の位置を変更する変更手段とを有する。焦点検出手段は、一次像面の焦点検出領域相当部分に結像した光束を焦点検出用光電変換素子上に再結像して得られる出力信号に基づいて、撮影光学系の焦点調節状態を検出する。即ち、焦点検出手段は、焦点検出領域の位置の変更に際して、『焦点検出用光電変換素子におけるどの画素領域からの出力信号を焦点調節状態の検出に用いるか』を変更すればよい。従って、上記課題を達成できる。【選択図】      図１
2005345501.tif 000002
【特許請求の範囲】
【請求項１】
撮影光学系による被写体像が結像する撮像素子の画素領域に対する記録領域の大きさを変更可能な電子カメラにおいて、
前記撮影光学系の予定結像面と共役な位置に配置され、前記画素領域に対する複数の焦点検出領域を設定可能な、複数の画素が二次元に配列された焦点検出用光電変換素子と、
前記焦点検出用光電変換素子のうち前記焦点検出領域に対応する領域の素子で受光して得られる出力信号に基づいて前記撮影光学系の焦点調節状態を検出する焦点検出手段と、
前記記録領域の大きさに応じて前記焦点検出領域の位置を変更する変更手段と
を備えたことを特徴とする電子カメラ。
【請求項２】
請求項１に記載の電子カメラにおいて、
前記画素領域に対応する、前記撮影光学系を介した前記被写体像を観察可能とする観察光学系と、
前記焦点検出領域を前記観察光学系に重畳して表示する重畳手段とを備え、
前記重畳手段は、前記記録領域の大きさに応じて、重畳して表示する前記焦点検出領域の配置を変更する
ことを特徴とする電子カメラ。
【請求項３】
請求項１または請求項２に記載の電子カメラにおいて、
被写体輝度を測光する測光手段を備え、
前記測光手段は、前記焦点検出領域の配置に応じて、測光領域の位置を変更する
ことを特徴とする電子カメラ。
【請求項４】
請求項１または請求項２に記載の電子カメラにおいて、
被写体輝度を測光する測光手段と、
前記被写体輝度に基づいて露出条件を決定するための測光領域の選択を、前記焦点検出領域の配置に応じて変更する露出条件設定手段と
を備えたことを特徴とする電子カメラ。
【発明の詳細な説明】
【技術分野】
【０００１】
本発明は、複数の焦点検出領域を有し、それを表示する表示部を備えた電子カメラに関し、特に、撮像素子の有効画素範囲を変更する機能、或いは電子ズーム機能を備えた電子カメラに関する。
【背景技術】
【０００２】
従来より、撮影画面内に複数の焦点検出領域を設定し、ユーザにより選択された焦点検出領域においてピントを合わせる機能を備えた電子カメラが知られている。また、撮像画像の一部を切り出して拡大し、疑似的なズームアップ画像を生成及び記録する電子ズーム機能を備えた電子カメラが知られている。
しかし、複数の焦点検出領域で焦点検出が可能な電子カメラにおいて、電子ズーム機能を用いると、切り出し範囲（記録画像となる範囲）の外に焦点検出領域が設定されることがある。この場合、切り出し範囲から外れた焦点検出領域が生じてしまい、ユーザが選べる焦点検出領域を少なくしてしまう。或いは、焦点検出領域が切り出し範囲から外れなくても、写真の構図の上で、不適切な位置に焦点検出領域が設定されることがある。
【０００３】
このような問題を解決するために、特許文献１は、段落［００５０］において、電子ズーム倍率に応じて焦点検出領域の位置を変更することを提案している。
【特許文献１】特開２００１−２０８９６１号公報
【発明の開示】
【発明が解決しようとする課題】
【０００４】
特許文献１は、被写体像を撮像する撮像素子上に設定された焦点検出領域で得られる画像信号に基づいて焦点検出する電子カメラを開示するものである。一方、撮像素子とは異なる受光素子の出力に基づいて位相差検出方式などの焦点検出を行う構成の電子カメラにおいては、撮像素子に対する電子ズーム倍率や切り出し範囲を変更しても焦点検出領域の位置を設定する焦点検出系と撮像素子の画素領域とに一義的な関連性がないため、記録される画像領域の変更に焦点検出領域が対応しないという不都合があった。
【０００５】
本発明の目的は、位相差検出方式等の、撮像素子とは異なる受光素子の出力に基づいて焦点検出を行う電子カメラにおいて、撮像画像の一部を切り出して記録画像を生成する場合に、撮影時の画面内に設定される焦点検出領域を切り出し範囲内に適切に配置するための具体的構成を開示することである。
本発明の別の目的は、上記のように構成された電子カメラにおいて、使い易さを向上させることである。
【課題を解決するための手段】
【０００６】
請求項１の電子カメラは、撮影光学系による被写体像が結像する撮像素子の画素領域に対する記録領域の大きさを変更可能である。本請求項の電子カメラは、焦点検出用光電変換素子と、焦点検出手段と、変更手段とを備えたことを特徴とする。焦点検出用光電変換素子は、撮影光学系の予定結像面と共役な位置に配置されており、画素領域に対する複数の焦点検出領域を設定可能な、複数の画素が二次元に配列されたものである。焦点検出手段は、焦点検出用光電変換素子のうち焦点検出領域に対応する領域の素子で受光して得られる出力信号に基づいて撮影光学系の焦点調節状態を検出する。変更手段は、記録領域の大きさに応じて焦点検出領域の位置を変更する。
【０００７】
請求項２の発明は、請求項１に記載の電子カメラにおいて、以下の点を特徴とする。第１に、撮像素子の画素領域に対応する、撮影光学系を介した被写体像を観察可能とする観察光学系を備えている。第２に、焦点検出領域を観察光学系に重畳して表示する重畳手段を備えている。第３に、重畳手段は、記録領域の大きさに応じて、重畳する焦点検出領域の表示配置を変更する。
【０００８】
請求項３の発明は、請求項１または請求項２に記載の電子カメラにおいて、以下の点を特徴とする。第１に、被写体輝度を測光する測光手段を備えている。第２に、測光手段は、焦点検出領域の配置に応じて、測光領域の位置を変更する。
請求項４の発明は、請求項１または請求項２に記載の電子カメラにおいて、以下の点を特徴とする。第１に、被写体輝度を測光する測光手段を備えている。第２に、被写体輝度に基づいて露出条件を決定するための測光領域の選択を、焦点検出領域の配置に応じて変更する露出条件設定手段を備えている。
【発明の効果】
【０００９】
本発明の電子カメラは、撮影光学系による被写体像が結像する撮像素子の画素領域に対する記録領域の大きさを変更可能な電子カメラにおいて、撮影光学系の予定結像面と共役な位置に配置され、撮像素子の画素領域に対する複数の焦点検出領域を設定可能な、複数の画素が二次元に配列された焦点検出用光電変換素子と、焦点検出用光電変換素子のうち焦点検出領域に対応する領域の素子で受光して得られる出力信号に基づいて撮影光学系の焦点調節状態を検出する焦点検出手段と、記録領域の大きさに応じて焦点検出領域の位置を変更する変更手段とを有する。
【００１０】
この構成によれば、焦点検出手段は、焦点検出領域の位置の変更に際して、『焦点検出用光電変換素子におけるどの画素領域からの出力信号を焦点調節状態の検出に用いるか』を変更すればよい。従って、位相差検出方式等の、撮像素子とは異なる受光素子の出力に基づいて焦点検出を行う電子カメラにおいて撮像画像の一部を切り出して記録画像を生成する場合に、切り出し範囲内に焦点検出領域を適切に配置できる。
【発明を実施するための最良の形態】
【００１１】
以下、図面を用いて本発明の実施の形態を説明する。
図１は、本実施形態における電子カメラの概略構成図である。図に示すように、電子カメラ１０は、交換可能な撮影レンズ（撮影光学系）１４と、カメラボディ１８とで構成されており、電子ズーム機能を備えている。即ち、電子カメラ１０は、電子ズームを使用する撮影モードと、使用しない撮影モードとを有しており、以下の説明では、電子ズームを使用しない撮影モードを全画面モードといい、電子ズームを使用する撮影モードを一部画面モードという。
【００１２】
撮影レンズ１４は、ズーム操作部２２と、フォーカシングレンズ群２４と、ズーミングレンズ群２６と、レンズ駆動モータ２８と、レンズＣＰＵ３０とを有している。フォーカシングレンズ群２４は、レンズＣＰＵ３０の指示に従って、レンズ駆動モータ２８により駆動される。ズーミングレンズ群２６は、ユーザがズーム操作部２２を操作することで移動する。
【００１３】
カメラボディ１８は、接眼レンズ３４を含む光学ファインダ３６（観察光学系）と、測光部４０と、ミラー４２と、ペンタプリズム４４と、拡散板４６と、ＬＥＤ（発光ダイオード）４８と、液晶表示装置５０と、メインミラー５２と、サブミラー５４と、シャッタ５６と、撮像素子６０と、撮像素子駆動回路６２と、操作部６４と、画像処理部６６と、ＣＰＵ７０と、焦点検出部７２と、画像記録部７４とを有している。
【００１４】
ＣＰＵ７０は、電子カメラ１０のシステム制御を行う。撮像素子６０は、黒レベルを定めるための複数のオプティカルブラック画素と、受光量に応じて信号電荷を生成及び蓄積する複数の有効画素と有している。液晶表示装置５０は、部分的に拡散状態にされ、拡散状態になった部分は、ＬＥＤ４８の照射光を拡散させ、撮影者の目に達する。この原理により、ユーザは、焦点検出領域を示すマーク（または枠）を、光学ファインダ３６で被写体像と重畳するように観察できる。
【００１５】
図２は、光学ファインダ３６において、焦点検出領域を示すマークがどのように表示されるかを示す説明図であり、本実施形態では一例として、大括弧で示される１１個の焦点検出領域を被写体像に重畳表示する。図２（ａ）は全画面モードの場合を示し、図２（ｂ）は一部画面モードの場合を示す。なお、図中の太線で示した外縁の枠は、光学ファインダ３６から観察される観察像の外縁であり、撮像素子６０の有効画素の全域にほぼ相当する。
【００１６】
本実施形態では、光学ファインダ３６に表示される焦点検出領域の位置及びサイズを、電子ズームの倍率により決まる切り出し範囲に合うように、相似的に変える。なお、図２（ｂ）の実線の枠は、切り出し範囲を示す外縁であり、同様に液晶表示装置５０により表示される。また、焦点検出領域の表示は、セグメント表示ではなく、例えばドット表示でもよい。
【００１７】
図３は、焦点検出部７２の光学系の詳細を示す斜視図である。図に示すように、焦点検出部７２は、コンデンサレンズ８０と、絞りマスク８２と、セパレータレンズ対８４（各々を８４ａ、８４ｂ、８４ｃ、８４ｄとする）と、二次元ＣＣＤセンサ８６（焦点検出用光電変換素子）とを有している。絞りマスク８２は、セパレータレンズ８４ａ〜８４ｄにそれぞれ対応する開口部８２ａ、８２ｂ、８２ｃ、８２ｄを有している。図中の一次像面７８は、撮影レンズ１４の予定結像面上に位置する仮想的なものである。
【００１８】
図３における焦点検出領域９８ｇ〜９８ｑ、９８ｇ’〜９８ｑ’の位置は、図２（ａ）、（ｂ）に示した光学ファインダ３６に表示されるものとそれぞれ同様である。即ち、一部画面モードの場合、一次像面７８における焦点検出領域９８ｇ’〜９８ｑ’の位置は、全画面モードの場合に対して相似的に変わる。
図３の符号９０は、撮影レンズ１４の射出瞳であり、その一部の領域（絞りマスク８２の開口部８２ａ〜８２ｄの逆投影像）を図に示すようにそれぞれ９０ａ、９０ｂ、９０ｃ、９０ｄとする。撮影レンズ１４の射出瞳９０と、絞りマスク８２とは、コンデンサレンズ８０によって光学的に共役関係にある。一次像面７８と、二次元ＣＣＤセンサ８６の受光面とは、コンデンサレンズ８０及びセパレータレンズによって光学的に共役関係にある。
【００１９】
次に、焦点検出部７２内の光路を説明する。例えば焦点検出領域９８ｇを代表する水平方向に延在する一領域（図において太線で示した部分）について見れば、射出瞳９０ａを透過して焦点検出領域９８ｇの上記一領域を透過した光束は、コンデンサレンズ８０を透過後、絞りマスク８２の開口部８２ａを透過する。この透過光束は、セパレータレンズ８４ａによって、二次元ＣＣＤセンサ８６のエリアＡにおける画素列Ａ−ｇ上に再結像される。同様に、射出瞳９０ｂを透過して焦点検出領域９８ｇの上記一領域を透過した光束は、コンデンサレンズ８０、開口部８２ｂを透過後、セパレータレンズ８４ｂによって、二次元ＣＣＤセンサ８６のエリアＢにおける画素列Ｂ−ｇ上に再結像される。
【００２０】
また、焦点検出領域９８ｇにおいて垂直方向（前記水平方向に直交する方向であり、図示せず）に延在する一領域の場合、射出瞳９０ｃ、９０ｄのそれぞれを透過して焦点検出領域９８ｇを透過した光束は、コンデンサレンズ８０を透過後、開口部８２ｃ、８２ｄをそれぞれ透過し、セパレータレンズ８４ｃ、８４ｄによって、二次元ＣＣＤセンサ８６におけるエリアＣの画素列Ｃ−ｇ、エリアＤの画素列Ｄ−ｇ上にそれぞれ再結像される。
【００２１】
本実施形態のように絞りマスク８２やセパレータレンズ対８４を複数の焦点検出領域で共用し、二次元ＣＣＤセンサ８６で受光する焦点検出系では、焦点検出領域の位置及びサイズを容易に変更できる。図４は、二次元ＣＣＤセンサ８６におけるどの画素領域が焦点検出領域として用いられるか、即ち、どの画素領域からの画像信号が相関演算処理に用いられるかを示す説明図である。図中に太線で示した枠は、二次元ＣＣＤセンサ８６の受光面の外縁である。
【００２２】
例えば、全画面モードの場合に、図２（ａ）及び図３に示した焦点検出領域９８ｑが選択されているとする。この場合、図４（ａ）に示すように、水平方向では、エリアＡの画素列Ａ−ｑからの画像信号と、エリアＢの画素列Ｂ−ｑからの画像信号とを用いて、相関演算処理を行う。また、垂直方向では、エリアＣの画素列Ｃ−ｑからの画像信号と、エリアＤの画素列Ｄ−ｑからの画像信号とを用いる。
【００２３】
一方、一部画面モードの場合の相関演算処理においては、全画面モードの場合に対して、演算に用いる画素領域の位置、及び画素数のみを変更すればよい。
例えば、図２（ｂ）及び図３に示した焦点検出領域９８ｑ’が選択されているとする。この場合、図４（ｂ）に示すように、水平方向では、エリアＡの画素列Ａ−ｑ’からの画像信号と、エリアＢの画素列Ｂ−ｑ’からの画像信号とを用いて、相関演算処理を行う。また、垂直方向では、エリアＣの画素列Ｃ−ｑ’からの画像信号と、エリアＤの画素列Ｄ−ｑ’からの画像信号とを用いる。
【００２４】
他の焦点検出領域９８ｇ〜９８ｐ、９８ｇ’〜９８ｐ’に関しても同様であり、各エリア（Ａ、Ｂ、Ｃ、Ｄ）内において相関演算処理に用いられる画素領域の位置と、一次像面７８における焦点検出領域の位置とは、主光軸に対して点対称になる。なお、図４（ａ）では煩雑となるので、焦点検出領域９８ｇに対応する画素領域Ａ−ｇ、Ｂ−ｇ、Ｃ−ｇ、Ｄ−ｇと、焦点検出領域９８ｑに対応する画素領域Ａ−ｑ、Ｂ−ｑ、Ｃ−ｑ、Ｄ−ｑのみ符号を示した。また、図４（ｂ）でも同様に、一部のみ符号を示した。
【００２５】
図１に示す測光部４０は、例えば格子状に配列された１００〜１０００個の測光素子を有しており、これら測光素子を用いて被写体輝度を測光し、この被写体輝度を測光値としてＣＰＵ７０に伝達する。ここで、図５を用いて測光部４０の測光領域について説明する。
図５（ｂ）は、測光部４０の受光面の模式的平面図であり、全画面モードにおける測光領域の配置を示し、図中の１つの枡は１つの測光素子を示す。ここで、比較のために、図２（ａ）と同じであるが、全画面モードにおける光学ファインダ３６での焦点検出領域９８ｇ〜９８ｐの配置を図５（ａ）に示す。図５（ｂ）では、焦点検出領域９８ｇ〜９８ｐにそれぞれに対応する測光領域を、１１０ｇ〜１１０ｑとして黒く塗り潰して示した。なお、図では一例として、縦１５×横２３＝３４５個の測光素子が配置されている。図５（ｂ）の場合、各測光領域は、９個の測光素子で構成される。
【００２６】
図５（ｃ）は、一部画面モードにおける光学ファインダ３６での焦点検出領域９８ｇ’〜９８ｐ’の配置を示し、図５（ｄ）は、一部画面モードにおける測光領域の配置を、図５（ｂ）と同様に示したものである。図５（ｄ）では、焦点検出領域９８ｇ’〜９８ｐ’にそれぞれに対応する測光領域を、１１０ｇ’〜１１０ｑ’として黒く塗り潰して示した。図５（ｄ）の場合、各測光領域は、１個の測光素子で構成される。図に示すように、一部画面モードでは、各測光領域１１０ｇ’〜１１０ｑ’は、全画面モードの場合の測光領域１１０ｇ〜１１０ｑよりも、電子ズーム倍率に応じて中心側に配置される。
【００２７】
本実施形態の電子カメラ１０は、電子ズーム機能を備えた一眼レフカメラであることと、電子ズーム使用時におけるＣＰＵ７０及び焦点検出部７２の機能（詳細は後述）とを主な特徴とする。特に説明しない部分の機能は、従来の電子カメラとほぼ同様である。
図６は、電子カメラ１０の動作を示す流れ図の前半部分であり、図７は、その後半部分である。以下、図に示すステップ番号に従って、電子カメラ１０の動作を説明する。
【００２８】
［ステップＳ１］電子カメラ１０の電源釦（図示せず）がオンされると、電源オン処理が行われる。この後、ユーザ（撮影者）は、操作部６４の釦群を操作して、測光モードや撮影条件などを設定する。この時点では、メインミラー５２は下がった状態であり、メインミラー５２を透過した光はサブミラー５４で反射して焦点検出部７２に導かれる。また、メインミラー５２で反射した光は、ペンタプリズム４４内で反射して、光学ファインダ３６内で観察像を形成する。
【００２９】
［ステップＳ２］ユーザは、操作部６４を操作して、全画面モードと、一部画面モードのいずれかを選択する。一部画面モードの場合、ユーザは、不図示の切り替えスイッチにより、電子ズーム倍率を選択する。ここで、電子ズームの倍率は、予め定められた複数の値のいずれかに、段階的に変更可能である。
［ステップＳ３］ＣＰＵ７０は、ステップＳ２において一部画面モードに設定されたか否かを判定する。一部画面モードの場合、ステップＳ４に進み、そうでない場合（全画面モードの場合）、ステップＳ５に進む。
【００３０】
［ステップＳ４］ＣＰＵ７０は、焦点検出領域９８ｇ’〜９８ｑ’、及び切り出し範囲を示す枠を、光学ファインダ３６の観察像に重畳表示させる。このとき、図２（ｂ）で示したように、焦点検出領域９８ｇ’〜９８ｑ’は、電子ズームの倍率で決まる切り出し範囲内に、適切なサイズで配置される。この後、ステップＳ６に進む。
［ステップＳ５］ＣＰＵ７０は、有効画素全域の画像サイズに合わせて、光学ファインダ３６に表示される焦点検出領域９８ｇ〜９８ｑの位置を設定する。この後、ステップＳ６に進む。
【００３１】
［ステップＳ６］ユーザは、いずれかの焦点検出領域（９８ｇ〜９８ｑまたは９８ｇ’〜９８ｑ’のいずれかであり、以下、符号を省略）を選択する。この後、選択された焦点検出領域のみ、光学ファインダ３６内に表示される。なお、選択されなかった焦点検出領域の表示を消さずに、選択されたものだけ例えば点滅表示にしてもよい。
［ステップＳ７］ユーザは、操作部６４の１つであるレリーズ釦（図示せず）を半押しする。これに同期して、焦点検出部７２は、ＣＰＵ７０の指令に従って、焦点検出を開始する。即ち、焦点検出部７２は、焦点検出に用いる二次元ＣＣＤセンサ８６の画素列を選ぶことにより焦点検出を行う。なお、レリーズ釦が半押しされない場合、半押しされるまで電子カメラ１０は待機する。
【００３２】
［ステップＳ８］焦点検出部７２は、選択された焦点検出領域を透過して、二次元ＣＣＤセンサ８６上に再結像された２像の画像信号を、ＣＰＵ７０に伝達する。ＣＰＵ７０は、２像の画像信号に公知の相関演算処理を施して、デフォーカス量（合焦位置からのずれ量）を算出する。
［ステップＳ９］ＣＰＵ７０は、ステップＳ９で求めたデフォーカス量に基づいて、選択された焦点検出領域でピントを合わせるように、レンズＣＰＵ３０に指令する。レンズＣＰＵ３０は、この指令に従ってレンズ駆動モータ２８を制御して、ピントを合わせる。この後、図７のステップＳ１０に進む。
【００３３】
［ステップＳ１０］ＣＰＵ７０は、測光モードがスポット測光モードに設定されているか、マルチパターン測光モードに設定されているかを判定する。スポット測光モードに設定されている場合、ステップＳ１１に進み、マルチパターン測光モードに設定されている場合、ステップＳ１３に進む。
［ステップＳ１１］測光部４０は、選択された焦点検出領域に対応する測光領域（全画面モードでは前述の図５（ｂ）の１１０ｇ〜１１０ｑのいずれかであり、一部画面モードでは図５（ｄ）の１１０ｇ’〜１１０ｑ’のいずれか）の測光素子が出力する測光値を、ＣＰＵ７０に伝達する。
【００３４】
［ステップＳ１２］ＣＰＵ７０は、ステップＳ１２で取得した測光値に基づいて、選択された焦点検出領域で適正露出になるように、いわゆるスポット測光モードによって露出条件（絞り値、露光時間、撮像素子６０のＩＳＯ値等）を決定する。このとき、露出条件の一部がステップＳ１でユーザにより設定されていれば、それに従う。この後、ステップＳ１５に進む。
【００３５】
［ステップＳ１３］全画面モードに設定されている場合、測光部４０は、全ての測光素子が出力する測光値を、ＣＰＵ７０に伝達する。また、一部画面モードに設定されている場合、測光部４０は、切り出し範囲内に相当する全ての測光素子が出力する測光値を、ＣＰＵ７０に伝達する。即ち、図５（ｄ）で一点鎖線で示した枠内の全ての測光素子の測光値が伝達される。
【００３６】
［ステップＳ１４］ＣＰＵ７０は、取得した測光値に基づいて、いわゆるマルチパターン測光、評価測光等によって露出条件を決定する。このとき、露出条件の一部がユーザにより設定されていれば、それに従う。
ここでの露出条件の演算は、逆光や明暗差の大きい被写体でも、露出補正なしで適正露出にすることができる。例えば全画面モードで焦点検出領域９８ｌが選択されていれば、露出条件の演算において選択された焦点検出領域の位置や輝度、その他画面全体の平均輝度やコントラスト、距離情報、色情報をパラメータとし、多数の撮影データベースから最適化学習された演算アルゴリズムによってその状況にふさわしい露出を決定する。
【００３７】
一部画面モードを使用する場合、上述の全画面モードに対して、選択された焦点検出領域の位置や輝度、切り出された画面全体の平均輝度やコントラストといったパラメータが変わってくる。このように露出条件を決定する演算の方法は、電子ズームを使用するか否かで変わり、使用する場合はそのズーム倍率により変わる。また、どの焦点検出領域が選択されているかによっても変わる。この後、ステップＳ１５に進む。
【００３８】
［ステップＳ１５］レリーズ釦が全押しされると、それに同期して、ステップＳ１２またはステップＳ１４で設定された露出条件で公知の撮影処理が行われる。ステップＳ３で一部画面モードに設定されていれば、撮像素子６０から出力される全有効画素の画像信号の内、切り出し範囲に対応する画素の画像信号のみが抽出される。抽出された画像信号には、画像処理部６６により画像処理が施される。画像処理後の画像信号は、画像データとして、画像記録部７４内のメモリカード（図示せず）に記録される。ステップＳ３で全画面モードに設定されていれば、撮像素子６０から出力される全有効画素の画像信号に対して、上述と同様の処理が施される。以上が本実施形態の動作説明である。
【００３９】
このように本実施形態では、セパレータレンズ対８４などを複数の焦点検出領域で共用し、二次元ＣＣＤセンサ８６で受光する位相差検出方式の焦点検出系を用いる。このため、『二次元ＣＣＤセンサ８６における、どの画素領域の画像信号を相関演算処理に用いるか』を変更するだけで、焦点検出領域の位置及びサイズを容易に変更できる。これにより、撮像画像の一部を切り出して記録画像を生成する場合に、焦点検出領域を切り出し範囲内に適切に配置できる。
【００４０】
また、一部画面モードでは、図２（ｂ）に示したように、切り出し範囲を示す枠と、その枠内に適切に配置された焦点検出領域とを光学ファインダ３６に表示する。従って、電子ズームを使用する場合においても、記録される画像範囲に対する焦点検出領域の相対的な位置が一定となるため、使用不可能となる焦点検出領域もなくなり、操作性が極めて向上する。即ち、ユーザが焦点検出領域を選択するときの操作負担は、電子ズームを使用しない場合と変わらない。従って、ユーザは、焦点検出領域の設定に際しては、電子ズームの使用の有無や電子ズーム倍率等を、全く気にする必要がない。
【００４１】
スポット測光モードでは、ＣＰＵ７０は、電子ズームの使用の有無、電子ズーム倍率、どの焦点検出領域が選択されているかに応じて、測光領域を適切に変更させる。また、マルチパターン測光モードでは、ＣＰＵ７０は、電子ズームの使用の有無、電子ズーム倍率、焦点検出領域の位置や輝度等に応じて、多数の撮影データベースから最適化学習された演算アルゴリズムによってその状況にふさわしい露出条件を決定する。このようにＣＰＵ７０が適正な露出条件を自動的に決定するので、ユーザは、露出条件の設定に際しても、電子ズームの使用の有無や電子ズーム倍率等を、全く気にする必要がない。この結果、位相差検出方式の自動焦点検出装置及び電子ズーム機能を備えた電子カメラにおいて、ユーザの使い易さを大きく向上できる。
【００４２】
以下、請求項と本実施形態との対応関係を説明する。なお、以下に示す対応関係は、参考のための一解釈であり、本発明を限定するものではない。請求項記載の焦点検出手段は、デフォーカス量を算出する焦点検出部７２及びＣＰＵ７０の機能に対応する。請求項記載の変更手段は、電子ズームの使用の有無、電子ズーム倍率に応じて、焦点検出領域の位置及びサイズを変更させるＣＰＵ７０及び焦点検出部７２の機能に対応する。請求項記載の測光手段は、測光部４０に対応する。請求項記載の露出条件設定手段は、ステップＳ１２、Ｓ１４で露出条件を演算するＣＰＵ７０の機能に対応する。
【００４３】
なお、撮像画像の任意の位置にある任意の範囲を切り出して記録画像を生成する場合にも、本発明は適用可能である。その場合も、切り出し範囲に応じて、光学ファインダ３６における焦点検出領域の表示や、二次元ＣＣＤセンサ８６におけるどの画素領域の画像信号を相関演算処理に用いるかを同様に変更すればよい。
【産業上の利用可能性】
【００４４】
以上詳述したように本発明は、電子カメラの分野において大いに利用可能である。
【図面の簡単な説明】
【００４５】
【図１】本実施形態における電子カメラの概略構成図である。
【図２】焦点検出領域の配置を一次像面に相当させて示した説明図であり、（ａ）は電子ズームを使用しない場合を示し、（ｂ）は電子ズームを使用する場合を示す。
【図３】図１の焦点検出部の光学系の詳細を示す斜視図である。
【図４】二次元ＣＣＤセンサにおけるどの画素領域が焦点検出領域として用いられるかを示す説明図である。
【図５】測光領域の配置を示す説明図である。
【図６】本実施形態の電子カメラの動作を示す流れ図の前半部分である。
【図７】本実施形態の電子カメラの動作を示す流れ図の後半部分である。
【符号の説明】
【００４６】
１０  電子カメラ
１４  撮影レンズ
１８  カメラボディ
２２  ズーム操作部
２４  フォーカシングレンズ群
２６  ズーミングレンズ群
２８  レンズ駆動モータ
３０  レンズＣＰＵ
３４  接眼レンズ
３６  光学ファインダ
４０  測光部
４２  ミラー
４４  ペンタプリズム
４６  拡散板
４８  ＬＥＤ
５０  液晶表示装置
５２  メインミラー
５４  サブミラー
５６  シャッタ
６０  撮像素子
６２  撮像素子駆動回路
６４  操作部
６６  画像処理部
７０  ＣＰＵ
７２  焦点検出部
７４  画像記録部
７８  一次像面
８０  コンデンサレンズ
８２  絞りマスク
８２ａ、８２ｂ、８２ｃ、８２ｄ  開口部
８４  セパレータレンズ対
８４ａ、８４ｂ、８４ｃ、８４ｄ  セパレータレンズ
８６  二次元ＣＣＤセンサ
９０  射出瞳（全体）
９０ａ、９０ｂ、９０ｃ、９０ｄ  射出瞳（の一部）
９８ｇ〜９８ｑ、９８ｇ’〜９８ｑ’  焦点検出領域
１１０ｇ〜１１０ｑ、１１０ｇ’〜１１０ｑ’  測光領域
Ａ、Ｂ、Ｃ、Ｄ  （二次元ＣＣＤセンサ上の）エリア
【図１】
2005345501.tif 000003
【図２】
2005345501.tif 000004
【図３】
2005345501.tif 000005
【図４】
2005345501.tif 000006
【図５】
2005345501.tif 000007
【図６】
2005345501.tif 000008
【図７】
2005345501.tif 000009